(57)【要約】    【課題】  反射やレンズの焼けによる光学性能の低下を抑えながら、簡易な構成で、高精細な画像形成が行なえる光走査装置及びそれを用いた画像形成装置を得ること。    【解決手段】  光源手段１と、光源手段から射出した光束を偏向走査する偏向手段５に導光する入射光学系ＬＡと、偏向手段により偏向走査された光束を被走査面７上に結像させる結像光学系６とを有し、入射光学系は、光源手段から射出した光束を偏向手段に導く１以上の光学素子を有しており、１以上の光学素子のうちの１つの光学素子は、入射側面と射出側面の少なくとも一方の面に曲率を有しており、１つの光学素子の入射側面と射出側面のうち一方の面のみに反射防止手段が施されていること。【選択図】    図１
2009204940.tif 000002
【特許請求の範囲】
【請求項１】
光源手段と、
前記光源手段から射出した光束を偏向走査する偏向手段に導光する入射光学系と、
前記偏向手段により偏向走査された光束を被走査面上に結像させる結像光学系と、
を有する光走査装置において、
前記入射光学系は、前記光源手段から射出した光束を前記偏向手段に導く１以上の光学素子を有しており、
前記１以上の光学素子のうちの１つの光学素子は、入射側面と射出側面の少なくとも一方の面に曲率を有しており、
前記１つの光学素子の入射側面と射出側面のうち一方の面のみに反射防止手段が施されていることを特徴とする光走査装置。
【請求項２】
前記光源手段から射出した光束が前記１つの光学素子の入射側面で反射し、前記光源手段側に戻ってきたときの主走査方向と副走査方向の長さを各々Ｗｙ１、Ｗｚ１、前記光源手段から射出した光束が前記１つの光学素子の射出側面で反射し、前記光源手段側に戻ってきたときの主走査方向と副走査方向の長さを各々Ｗｙ２、Ｗｚ２とし、
Ｓ＝（Ｗｙ１・Ｗｚ１）／（Ｗｙ２・Ｗｚ２）
とおいたとき、
Ｓの値が1より大きい場合は射出側面にのみ反射防止手段を施し、Ｓの値が1より小さい場合は入射側面にのみ反射防止手段を施し、Ｓの値が1のときは、入射側面にのみ反射防止手段を施していることを特徴とする請求項１に記載の光走査装置。
【請求項３】
前記１つの光学素子は、前記光源手段から射出した光束を平行光束として出射させるコリメータレンズであることを特徴とする請求項１又は２に記載の光走査装置。
【請求項４】
前記１つの光学素子は、前記光源手段から射出した光束を前記偏向手段の偏向面に線像として結像させるシリンドリカルレンズであることを特徴とする請求項１又は２に記載の光走査装置。
【請求項５】
前記１つの光学素子は、前記光源手段から射出した光束を主走査断面内において平行光束とし、副走査断面内において前記偏向手段の偏向面に線像として結像させるアナモフィックレンズであることを特徴とする請求項１又は２に記載の光走査装置。
【請求項６】
請求項１乃至５のいずれか１項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項７】
請求項１乃至５のいずれか１項に記載の光走査装置と、外部機器から入力したコードデータを画像信号に変換して前記光走査装置に入力せしめるプリンタコントローラとを有していることを特徴とする画像形成装置。
【請求項８】
請求項１乃至５のいずれか１項に記載の光走査装置の被走査面に配置され、互いに異なった色の画像を形成する複数の像担持体とを有することを特徴とするカラー画像形成装置。
【請求項９】
外部機器から入力した色信号を異なった色の画像データに変換して各々の光走査装置に入力せしめるプリンタコントローラを有していることを特徴とする請求項８に記載のカラー画像形成装置。
【発明の詳細な説明】
【技術分野】
【０００１】
本発明は光走査装置及びそれを用いた画像形成装置に関し、電子写真プロセスを有するレーザービームプリンタやデジタル複写機、マルチファンクションプリンタ（多機能プリンタ）のカラー画像形成装置に好適なものである。
【背景技術】
【０００２】
従来よりレーザービームプリンタ（ＬＢＰ）やデジタル複写機の光走査装置においては画像信号に応じて光源手段から光変調され出射した光束を、回転多面鏡（ポリゴンミラー）より成る光偏向器（偏向手段）により周期的に偏向させている。そして偏向された光束をｆθ特性を有する結像光学系によって感光性の記録媒体（感光ドラム）面上にスポット状に集束させ、その面上を光走査して画像記録を行っている。
【０００３】
この種の光走査装置において、光源手段から出射した発散光束はコリメータレンズにより平行光束に変換され、絞り（アパーチャ）によって前記光束を制限して副走査方向にのみ所定の屈折力を有するシリンドリカルレンズに入射している。シリンドリカルレンズに入射した平行光束のうち主走査断面内においてはそのままの状態で射出する。また副走査断面内においては集束して回転多面鏡から成る偏向手段の偏向面（反射面）に線像として結像している。
【０００４】
そして偏向手段の偏向面で偏向された光束を結像光学系を介して被走査面としての感光ドラム面上に導光する。そして偏向手段を所定方向に回転させることによって前記感光ドラム面上を主走査方向に光走査して画像情報の記録を行なっている。
【０００５】
この種の光走査装置に用いられる結像光学系は光束を被走査面上に集光させるとともに前記被走査面上の主走査方向の光スポットの走査速度を等速にする、所謂fθ特性を有している。また結像光学系は走査線全域にわたり微小な光スポットが形成されるよう像面湾曲が良好に補正されている。
【０００６】
更にほとんどの光走査装置は光偏向器の各偏向面の加工誤差や回転軸のブレ等によって生ずる走査位置の副走査方向（走査線と直交する方向）のズレを補正する、所謂面倒れ補正機能を結像光学系に持たせている。
【０００７】
このため結像光学系は主走査方向と副走査方向とで互いに異なった結像特性を有するアナモフィックなレンズ系となり、前記レンズ系を構成する複数のレンズのうち少なくとも１つのレンズ面はトーリック面、あるいはシリンドリカル面より形成されている。かつ結像光学系は十分な光学精度が得られるように構成されている。
【０００８】
これらのレンズにおいては、レンズの表面、内面での光束の反射による光源への戻り光、フレア、ゴースト、透過率の低下等を防止するため反射防止手段が施されている。反射防止手段はレンズの表面に光学薄膜をつけるもの、あるいは使用するレーザー光の波長以下の寸法の微細構造を複数表面に施すことなどがある(特許文献１参照）。
【特許文献１】特開２００６−２０１３７１号公報
【発明の開示】
【発明が解決しようとする課題】
【０００９】
光源手段から出射された光束は、その光路において幾つかのレンズ面を通過するが、同時に反射による損失が生じ、それだけ透過光のエネルギーが減少する。また反射光束が光源（発光素子）に戻ると、前記光源に影響を及ぼす。
【００１０】
そこで、従来のレーザービームプリンタやデジタル複写機に用いられる光学系においては、レンズ各面での反射を低減する為に、レンズ面に反射防止手段を施してこの問題点に対処していた。
【００１１】
レンズ面に施す反射防止手段としては、前述したように光学薄膜をコートする方法や、レーザー光の波長以下の寸法の微細構造を複数レンズ表面に形成する方法がある。しかしながら、これらを安定してレンズ面に施すには高度の技術を必要とし、製作が困難となっていた。
【００１２】
近年、レンズ面の反射による光量の低下を補えるほどの光量を有する光源が容易に用いられるようになり、またレンズの材質も近年は耐酸性に優れ、焼けに強い材料が用いられるようになった。
【００１３】
しかしながら、仮に反射防止手段を全て廃止した場合は、先に述べた理由により高精彩で忠実な画像形成が困難となってくる。
【００１４】
本発明は反射やレンズの焼けによる光学性能の低下を抑えながら、簡易な構成で、高精細な画像形成が行なえる光走査装置及びそれを用いた画像形成装置の提供を目的とする。
【課題を解決するための手段】
【００１５】
請求項１の発明の光走査装置は、
光源手段と、
前記光源手段から射出した光束を偏向走査する偏向手段に導光する入射光学系と、
前記偏向手段により偏向走査された光束を被走査面上に結像させる結像光学系と、
を有する光走査装置において、
前記入射光学系は、前記光源手段から射出した光束を前記偏向手段に導く１以上の光学素子を有しており、
前記１以上の光学素子のうちの１つの光学素子は、入射側面と射出側面の少なくとも一方の面に曲率を有しており、
前記１つの光学素子の入射側面と射出側面のうち一方の面のみに反射防止手段が施されていることを特徴としている。
【００１６】
請求項２の発明は請求項１の発明において、
前記光源手段から射出した光束が前記１つの光学素子の入射側面で反射し、前記光源手段側に戻ってきたときの主走査方向と副走査方向の長さを各々Ｗｙ１、Ｗｚ１、前記光源手段から射出した光束が前記１つの光学素子の射出側面で反射し、前記光源手段側に戻ってきたときの主走査方向と副走査方向の長さを各々Ｗｙ２、Ｗｚ２とし、
Ｓ＝（Ｗｙ１・Ｗｚ１）／（Ｗｙ２・Ｗｚ２）
とおいたとき、
Ｓの値が1より大きい場合は射出側面にのみ反射防止手段を施し、Ｓの値が1より小さい場合は入射側面にのみ反射防止手段を施し、Ｓの値が1のときは、入射側面にのみ反射防止手段を施していることを特徴としている。
請求項３の発明は請求項１又は２の発明において、
前記１つの光学素子は、前記光源手段から射出した光束を平行光束として出射させるコリメータレンズであることを特徴としている。
【００１７】
請求項４の発明は請求項１又は２の発明において、
前記１つの光学素子は、前記光源手段から射出した光束を前記偏向手段の偏向面に線像として結像させるシリンドリカルレンズであることを特徴としている。
【００１８】
請求項５の発明は請求項１又は２の発明において、
前記１つの光学素子は、前記光源手段から射出した光束を主走査断面内において平行光束とし、副走査断面内において前記偏向手段の偏向面に線像として結像させるアナモフィックレンズであることを特徴としている。
【００１９】
請求項６の発明の画像形成装置は、
請求項１乃至５のいずれか１項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴としている。
【００２０】
請求項７の発明の画像形成装置は、
請求項１乃至５のいずれか１項に記載の光走査装置と、外部機器から入力したコードデータを画像信号に変換して前記光走査装置に入力せしめるプリンタコントローラとを有していることを特徴としている。
【００２１】
請求項８の発明の画像形成装置は、
請求項１乃至５のいずれか１項に記載の光走査装置の被走査面に配置され、互いに異なった色の画像を形成する複数の像担持体とを有することを特徴としている。
【００２２】
請求項９の発明は請求項８の発明において、
外部機器から入力した色信号を異なった色の画像データに変換して各々の光走査装置に入力せしめるプリンタコントローラを有していることを特徴としている。
【発明の効果】
【００２３】
本発明によれば反射やレンズの焼けによる光学性能の低下を抑えながら、簡易な構成で、高精細な画像形成が行なえる光走査装置及びそれを用いた画像形成装置を達成することができる。
【発明を実施するための最良の形態】
【００２４】
本実施例の光走査装置は、光源手段と、前記光源手段から射出した光束を偏向走査する偏向手段に導光する入射光学系と、前記偏向手段により偏向走査された光束を被走査面上に結像させる結像光学系とを有している。入射光学系は、光源手段から射出した光束を偏向手段に導く１以上の光学素子を備えており、前記１以上の光学素子のうちの１つの光学素子は、入射側面と射出側面の少なくとも一方の面に曲率を有している。そして１つの光学素子の入射側面と射出側面のうち一方の面のみに反射防止手段が施されている。
【００２５】
以下、図面を用いて本発明の実施例を説明する。
【実施例１】
【００２６】
図１は本発明の実施例１の主走査方向の要部断面図（主走査断面図）である。図２（a）、（b）は各々本発明の実施例１の入射光学系の主走査方向の要部断面図（主走査断面図）及び副走査方向の要部断面図（副走査断面図）である。
【００２７】
図中、１は光源手段(光源）であり、例えば半導体レーザーよりなっている。
【００２８】
ＬＡは入射光学系であり、入射側面と射出側面の少なくとも一方の面に曲率を有する１以上の光学素子を有しており、光源手段１から射出した光束を偏向走査する後述する偏向手段５に導光している。
【００２９】
２は開口絞りであり、通過光束を制限してビーム形状を整形している。
【００３０】
３は光学素子としてのコリメータレンズであり、開口絞り２を通過した発散光束を平行光束に変換している。本実施例におけるコリメータレンズ３は入射側面(第1面）が平面、射出側面(第２面）が曲率を有した球面より成っている。
【００３１】
４は光学素子としてのシリンドリカルレンズであり、副走査方向(副走査断面内）にのみ所定の屈折力（パワー）を有しており、コリメータレンズ３を通過した光束を副走査断面内で後述する光偏向器５の偏向面（反射面）５ａに線像として結像させている。本実施例におけるシリンドリカルレンズ４は入射側面(第1面）が副走査方向にのみ曲率を有したシリンドリカル面、射出側面(第２面）が平面により成っている。
【００３２】
尚、開口絞り２、コリメータレンズ３、そしてシリンドリカルレンズ４等の各要素は入射光学系ＬＡの一要素を構成している。
【００３３】
５は偏向手段としての光偏向器であり、例えば６面構成のポリゴンミラー（回転多面鏡）より成っており、モーター等の駆動手段（不図示）により図中矢印Ａ方向に一定速度で回転している。
【００３４】
６は集光機能とｆθ特性とを有する結像光学系（ｆθレンズ系）であり、光偏向器５側より順にプラスチック材より成る第１、第２の結像レンズ（ｆθレンズ）６ａ，６ｂを有している。
【００３５】
第１、第２の結像レンズ６ａ，６ｂは共に主走査断面内で非球面形状でトーリック面より形成され、光偏向器５によって偏向走査された画像情報に基づく光束を被走査面としての感光ドラム面７上にスポット状に結像させている。かつ第１、第２の結像レンズ６ａ，６ｂは副走査断面内において光偏向器５の偏向面５ａと感光ドラム面７との間を共役関係にすることにより、面倒れ補正機能を有している。
【００３６】
第１の結像レンズ６ａは少なくとも１面が主走査断面内で非円弧（非球面係数が０でないこと、また平面でもないこと）で、かつ主走査断面内で光偏向器５側へ凹面を向けた正の屈折力を有するメニスカスレンズより成っている。
【００３７】
７は被走査面としての感光ドラム面（感光ドラム）である。
【００３８】
本実施例において半導体レーザー１から射出した発散光束は開口絞り２によって前記光束（光量）が制限され、コリメータレンズ３により平行光束に変換され、シリンドリカルレンズ４に入射している。シリンドリカルレンズ４に入射した平行光束のうち主走査断面においてはそのままの状態で射出する。また副走査断面内においては収束して光偏向器５の偏向面５ａに線像（主走査方向に長手の線像）として結像している。そして光偏向器５の偏向面５ａで偏向走査された光束は第１、第２の結像レンズ６ａ，６ｂを介して感光ドラム面７上にスポット状に結像される。そして光偏向器５を矢印Ａ方向へ回転させることによって、感光ドラム面７上を矢印Ｂ方向(主走査方向）に等速度で光走査している。これにより記録媒体としての感光ドラム面７上に画像記録を行なっている。
【００３９】
本実施例において、入射光学系ＬＡの一要素を構成するコリメータレンズ３とシリンドリカルレンズ４は、共に後述する関係式（１）に基づいて、その入射側面と射出側面のうち、一方のレンズ面のみに反射防止手段が施されている。
【００４０】
尚、本実施例では、反射防止手段として、公知の光学薄膜をコートする方法、またはレーザー光の波長以下の寸法の微細構造を複数レンズ表面に形成する方法等を用いている。
【００４１】
本実施例においては、光源手段１から射出した光束がコリメータレンズ３またはシリンドリカルレンズ４の入射側面で反射し、前記光源手段側に戻ってきたときの主走査方向と副走査方向の長さ(光束幅）を各々Ｗｙ１、Ｗｚ１とする。さらに光源手段１から射出した光束がコリメータレンズ３またはシリンドリカルレンズ４の射出側面で反射し、前記光源手段側に戻ってきたときの主走査方向と副走査方向の長さ(光束幅）を各々Ｗｙ２、Ｗｚ２とする。このとき、
Ｓ＝（Ｗｙ１・Ｗｚ１）／（Ｗｙ２・Ｗｚ２）…（１）
とおいたとき、
Ｓの値が1より大きい場合は射出側面にのみ反射防止手段を施し、Ｓの値が1より小さい場合は入射側面にのみ反射防止手段を施し、Ｓの値が1のときは、入射側面にのみ反射防止手段を施している。
【００４２】
尚、Ｓの値が1のとき入射側面にのみ反射防止手段を施しているのは、光が射出面で反射するとき、入射面を２度通過し、またレンズ内部を２度通過するため入射面に反射防止手段を施したほうが有利と成るためである。
【００４３】
上記関係式（１）は、入射光学系を構成するそれぞれの光学素子において、入射側面と射出側面のうち、どちらの面に反射防止手段を施すかを規定するためのものである。光学素子の面が曲率を持つ場合、反射光束はその曲率により屈折作用を受けるため、反射光束が光源付近に集光し、前記光源に影響を与える恐れがある。
【００４４】
関係式（１）のＳの値が1よりも小さいときは、光学素子の入射側面による反射光束が射出側面における反射光束よりも光源位置においてより集光している場合である。
【００４５】
関係式（１）のＳの値が1よりも大きいときは、光学素子の射出側面による反射光束が入射側面における反射光束よりも光源位置においてより集光している場合である。
【００４６】
また、パラメータＷｙ１、Ｗｚ１のうち、どちらか一方が０に近くなり、かつパラメータＷｙ２、Ｗｚ２のうち、どちらか一方が０に近くなる場合は以下の如く計算する。つまり光学素子の入射側面（第１面）、射出側面（第２面）からの反射光束が主走査方向、あるいは副走査方向の線像として光源位置で集束する場合は関係式（１）が不定となるが、０に近くなる光束の長さの成分同士で約分を行い、関係式（１）を計算すればよい。
【００４７】
つまり関係式（１）によって、反射光束が光源位置において、より集光する面を特定し、その面にのみ反射防止手段を施すことで光学素子面での反射による光源への影響を低減しながら、装置の製造の簡易化を図ることができる。
【００４８】
本実施例における光学パラメータを表１に示す。
【００４９】
【表１】
2009204940.tif 000003
【００５０】
図３（a）、（b）はそれぞれ本実施例におけるコリメータレンズ３の入射側面および射出側面で光束が反射した場合の主走査断面における光路を示した要部断面図である。図４（a）、（b）はそれぞれ本実施例におけるシリンドリカルレンズ４の入射側面で光束が反射した場合の主走査断面および副走査断面における光路を示した要部断面図である。図５（a）、（b）はそれぞれシリンドリカルレンズ４の射出側面で光束が反射した場合の主走査断面および副走査断面における光路を示した要部断面図である。各図において図１に示した要素と同一要素には同符番を付している。
【００５１】
また、本実施例において、関係式（１）のパラメータWy1、Wz1、Wy2、Wz2をコリメータレンズ３およびシリンドリカルレンズ４について求めた値を以下の表２に示す。
【００５２】
【表２】
2009204940.tif 000004
【００５３】
表２よりコリメータレンズ３において関係式（１）のＳの値は
Ｓ=0.461
である。
【００５４】
これは関係式（１）のＳの値が1よりも小さい。このことから、光源手段１より射出された光束がコリメータレンズ３の入射側面で反射した場合、射出側面で反射した光束より、光源を含み反射光束の光軸に垂直な断面における光束が集束していると言える。
【００５５】
つまり入射側面で反射した光束の方がより大きな光量をもって光源手段１に向かう可能性が高く、この場合、入射側面にのみ反射防止膜を施すのが良い。
【００５６】
また表２よりシリンドリカルレンズ４において関係式（１）のＳの値は
Ｓ= 1.892
である。
【００５７】
これは関係式（１）のＳの値が１よりも大きい。このことから、シリンドリカルレンズ４に入射したコリメータレンズ３からの平行光束が射出側面で反射した場合、入射側面で反射した光束より、光源を含み反射光束の光軸に垂直な断面における光束は集束していると言える。
【００５８】
つまり射出側面で反射した光束の方がより大きな光量をもって光源手段１に向かう可能性が高く、この場合、射出側面にのみ反射防止膜を施すのが良い。
【００５９】
このように本実施例では上述した如く入射光学系ＬＡを構成するコリメータレンズ３とシリンドリカルレンズ４を、共に関係式（１）に基づいて、その入射側面と射出側面のうち、一方のレンズ面のみに反射防止手段を施している。これにより本実施例では反射やレンズの焼けによる光学性能の低下を抑えながら、簡易な構成で、高精細な画像形成を行なっている。
【００６０】
尚、本実施例では結像光学系６を２枚のレンズより構成したが、これに限らず、例えば単一、もしくは３枚以上のレンズより構成しても良い。また結像光学系を回折光学素子を含ませて構成しても良い。
【実施例２】
【００６１】
図６は本発明の実施例２の主走査方向の要部断面図（主走査断面図）である。図７（a）、（b）は各々本発明の実施例２の入射光学系の主走査方向の要部断面図（主走査断面図）及び副走査方向の要部断面図（副走査断面図）である。
【００６２】
本実施例において前述の実施例1と異なる点は、入射光学系ＬＡの一要素としてアナモフィックレンズ１０を用いたことである。その他の構成及び光学的作用は実施例１と同様であり、これにより同様な効果を得ている。
【００６３】
つまり、図中、８は光源手段であり、例えば半導体レーザーよりなっている。９，１１は各々開口絞りであり、通過光束を制限してビーム形状を整形している。
【００６４】
１０はアナモフィックレンズ（アナモフィックコリメータレンズ）であり、光源手段８から射出した光束を主走査断面内において平行光束とし、副走査断面内において偏向手段１２の偏向面１２ａに線像として結像させている。本実施例におけるアナモフィックコリメータレンズ１０は光学樹脂からなり、入射側面(第1面）が平面、射出側面(第２面）が主走査方向、副走査方向に互いに異なる曲率を有するアナモフィック面(球面）より成っている。
【００６５】
１２は偏向手段としての光偏向器であり、例えば４面構成のポリゴンミラー（回転多面鏡）より成っており、モーター等の駆動手段（不図示）により一定速度で回転している。
【００６６】
１３は集光機能とｆθ特性とを有する結像光学系（ｆθレンズ系）であり、単一の結像レンズ１３ａより成っている。結像光学系１３は光偏向器１２によって偏向走査された画像情報に基づく光束を被走査面としての感光ドラム面１４上にスポット状に結像させている。かつ結像光学系１３は副走査断面内において光偏向器１２の偏向面１２aと感光ドラム面１４との間を共役関係にすることにより、面倒れ補正機能を有している。
【００６７】
本実施例では結像レンズ１３ａのレンズ面の副走査断面内における形状を入射側、射出側ともに非球面形状のトーリック面で形成しており、また主走査断面内において非球面形状のトーリック面で形成している。
【００６８】
１４は被走査面としての感光ドラム面である。
【００６９】
本実施例における光学パラメータを表３に示す。
【００７０】
【表３】
2009204940.tif 000005
【００７１】
図８は本実施例におけるアナモフィックコリメータレンズ１０の入射側面で光束が反射した場合の主走査断面における光路を示した要部断面図である。図９（a）、（b）はそれぞれ本実施例におけるアナモフィックコリメータレンズ１０の射出側面で光束が反射した場合の主走査断面および副走査断面における光路を示した要部断面図である。図８、図９（a）、（b）において図６に示した要素と同一要素には同符番を付している。
【００７２】
また、本実施例において、関係式（１）のそれぞれのパラメータWy1、Wz1、Wy2、Wz2をアナモフィックコリメータレンズ１０について求めた値を以下の表４に示す。
【００７３】
【表４】
2009204940.tif 000006
【００７４】
表４よりアナモフィックコリメータレンズ１０において関係式（１）のＳの値は
Ｓ=0.345
である。
【００７５】
これは関係式（１）の値が1よりも小さい。このことから、光源手段８より射出された光束がアナモフィックコリメータレンズ１０の入射側面で反射した場合、射出側面で反射した光束より、光源を含み反射光束の光軸に垂直な断面における光束が集束していると言える。
【００７６】
つまり入射側面で反射した光束の方がより大きな光量をもって光源手段８に向かう可能性が高く、この場合、入射側面にのみ反射防止膜を施すのが良い。
【００７７】
このように本実施例では上述した如く入射光学系ＬＡを構成するアナモフィックコリメータレンズ１０を、関係式（１）に基づいて、その入射側面と射出側面のうち、一方のレンズ面のみに反射防止手段を施している。これにより本実施例では反射やレンズの焼けによる光学性能の低下を抑えながら、簡易な構成で、高精細な画像形成を行なっている。
【００７８】
尚、本実施例では上述した如く入射光学系を構成するコリメータレンズやシリンドリカルレンズやアナモフィックレンズ等に本発明を適用したが、これに限らず、例えば入射側面と射出側面の少なくとも一方の面に曲率を有する光学素子なら適用可能である。
【００７９】
また、本実施例では結像光学系を１枚のレンズより構成したが、これに限らず、例えば２枚以上のレンズより構成しても良い。また結像光学系を回折光学素子を含ませて構成しても良い。
【００８０】
［画像形成装置］
図１０は、本発明の画像形成装置の実施例を示す副走査方向の要部断面図である。図において、符号１０４は画像形成装置を示す。この画像形成装置１０４には、パーソナルコンピュータ等の外部機器１１７からコードデータDｃが入力する。このコードデータDｃは、装置内のプリンタコントローラ１１１によって、画像データ（ドットデータ）Dｉに変換される。この画像データDｉは、実施例１〜２のいずれかに示した構成を有する光走査ユニット１００に入力される。そして、この光走査ユニット１００からは、画像データDｉに応じて変調された光ビーム１０３が出射され、この光ビーム１０３によって被走査面に配置された感光ドラム１０１の感光面が主走査方向に走査される。
【００８１】
静電潜像担持体（感光体）たる感光ドラム１０１は、モータ１１５によって時計廻りに回転させられる。そして、この回転に伴って、感光ドラム１０１の感光面が光ビーム１０３に対して、主走査方向と直交する副走査方向に移動する。感光ドラム１０１の上方には、感光ドラム１０１の表面を一様に帯電せしめる帯電ローラ１０２が表面に当接するように設けられている。そして、帯電ローラ１０２によって帯電された感光ドラム１０１の表面に、前記光走査ユニット１００によって走査される光ビーム１０３が照射されるようになっている。
【００８２】
先に説明したように、光ビーム１０３は、画像データDｉに基づいて変調されており、この光ビーム１０３を照射することによって感光ドラム１０１の表面に静電潜像を形成せしめる。この静電潜像は、上記光ビーム１０３の照射位置よりもさらに感光ドラム１０１の回転方向の下流側で感光ドラム１０１に当接するように配設された現像器１０７によってトナー像として現像される。
【００８３】
現像器１０７によって現像されたトナー像は、感光ドラム１０１の下方で、感光ドラム１０１に対向するように配設された転写ローラ１０８によって被転写材たる用紙１１２上に転写される。用紙１１２は感光ドラム１０１の前方（図１０において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。
【００８４】
以上のようにして、未定着トナー像を転写された用紙１１２はさらに感光ドラム１０１後方（図１０において左側）の定着器へと搬送される。定着器は内部に定着ヒータ（図示せず）を有する定着ローラ１１３とこの定着ローラ１１３に圧接するように配設された加圧ローラ１１４とで構成されている。そして転写部から搬送されてきた用紙１１２を定着ローラ１１３と加圧ローラ１１４の圧接部にて加圧しながら加熱することにより用紙１１２上の未定着トナー像を定着せしめる。更に定着ローラ１１３の後方には排紙ローラ１１６が配設されており、定着された用紙１１２を画像形成装置の外に排出せしめる。
【００８５】
図１０においては図示していないが、プリントコントローラ１１１は、先に説明したデータの変換だけでなく、モータ１１５を始め画像形成装置内の各部や、後述する光走査ユニット内のポリゴンモータなどの制御を行う。
【００８６】
本発明で使用される画像形成装置の記録密度は、特に限定されない。しかし、記録密度が高くなればなるほど、高画質が求められることを考えると、１２００ｄｐｉ以上の画像形成装置において本発明の実施例１〜２の構成はより効果を発揮する。
【００８７】
［カラー画像形成装置］
図１１は本発明の実施例のカラー画像形成装置の要部概略図である。本実施例は、光走査装置（光走査光学系）を４個並べ各々並行して像担持体である感光ドラム面上に画像情報を記録するタンデムタイプのカラー画像形成装置である。図１１において、６０はカラー画像形成装置、６１、６２、６３、６４は各々実施例１〜２に示したいずれかの構成を有する光走査装置、７１、７２、７３、７４は各々像担持体としての感光ドラム、３１，３２，３３，３４は各々現像器、５１は搬送ベルトである。尚、図１１においては現像器で現像されたトナー像を被転写材に転写する転写器（不図示）と、転写されたトナー像を被転写材に定着させる定着器（不図示）とを有している。
【００８８】
図１１において、カラー画像形成装置６０には、パーソナルコンピュータ等の外部機器５２からＲ（レッド）、Ｇ（グリーン）、Ｂ（ブルー）の各色信号が入力する。これらの色信号は、装置内のプリンタコントローラ５３によって、Ｃ（シアン），Ｍ（マゼンタ），Ｙ（イエロー）、Ｂ（ブラック）の各画像データ（ドットデータ）に変換される。これらの画像データは、それぞれ光走査装置６１、６２、６３、６４に入力される。そして、これらの光走査装置からは、各画像データに応じて変調された光ビーム４１，４２，４３，４４が射出され、これらの光ビームによって感光ドラム７１、７２、７３、７４の感光面が主走査方向に走査される。
【００８９】
本実施例におけるカラー画像形成装置は光走査装置（６１、６２、６３、６４）を４個並べ、各々がＣ（シアン），Ｍ（マゼンタ），Ｙ（イエロー）、Ｂ（ブラック）の各色に対応している。そして各々平行して感光ドラム７１、７２、７３、７４面上に画像信号（画像情報）を記録し、カラー画像を高速に印字するものである。
【００９０】
本実施例におけるカラー画像形成装置は上述の如く４つの光走査装置６１、６２、６３、６４により各々の画像データに基づいた光ビームを用いて各色の潜像を各々対応する感光ドラム７１、７２、７３、７４面上に形成している。その後、記録材に多重転写して１枚のフルカラー画像を形成している。
【００９１】
前記外部機器５２としては、例えばＣＣＤセンサを備えたカラー画像読取装置が用いられても良い。この場合には、このカラー画像読取装置と、カラー画像形成装置６０とで、カラーデジタル複写機が構成される。
【図面の簡単な説明】
【００９２】
【図１】本発明の実施例１における構成を説明する主走査断面図
【図２】本発明の実施例１における入射光学系ＬＡの主走査、副走査断面図
【図３】実施例１において、コリメータレンズ第１面および第2面で反射する光束の光路を説明する図
【図４】実施例１において、シリンドリカルレンズ第１面で反射する光束の光路を説明する図
【図５】実施例１において、シリンドリカルレンズ第２面で反射する光束の光路を説明する図
【図６】本発明の実施例２における構成を説明する主走査断面図
【図７】本発明の実施例２における入射光学系ＬＡの主走査、副走査断面図
【図８】実施例２において、アナモフィックコリメータレンズ第１面で反射する光束の光路を説明する図
【図９】実施例２において、アナモフィックコリメータレンズ第２面で反射する光束の光路を説明する図
【図１０】本発明の画像形成装置の実施例を示す副走査断面図
【図１１】本発明の実施例のカラー画像形成装置の要部概略図
【符号の説明】
【００９３】
１    半導体レーザー
２    開口絞り
３    コリメータレンズ
４    シリンドリカルレンズ
５    光偏向器（ポリゴンミラー）
５a   偏向面
６a, ６b     ｆθレンズ
７    被走査面（感光ドラム）
８    半導体レーザー
９    開口絞り
１0   アナモフィックコリメーター
１１  開口絞り
１２  光偏向器（ポリゴンミラー）
１２a 偏向面
１３  ｆθレンズ
１４  被走査面（感光ドラム）
６１、６２、６３、６４    光走査装置
７１、７２、７３、７４    像担持体（感光ドラム）
３１、３２、３３、３４    現像器
４１、４２、４３、４４    光ビーム
５１    搬送ベルト
５２    外部機器
５３    プリンタコントローラ
６０    カラー画像形成装置
１００  光走査装置
１０１  感光ドラム
１０２  帯電ローラ
１０３  光ビーム
１０４  画像形成装置
１０７  現像装置
１０８  転写ローラ
１０９  用紙カセット
１１０  給紙ローラ
１１１  プリンタコントローラ
１１２  転写材（用紙）
１１３  定着ローラ
１１４  加圧ローラ
１１５  モータ
１１６  排紙ローラ
１１７  外部機器
【図５】
2009204940.tif 000007
【図１】
2009204940.tif 000008
【図２】
2009204940.tif 000009
【図３】
2009204940.tif 000010
【図４】
2009204940.tif 000011
【図６】
2009204940.tif 000012
【図７】
2009204940.tif 000013
【図８】
2009204940.tif 000014
【図９】
2009204940.tif 000015
【図１０】
2009204940.tif 000016
【図１１】
2009204940.tif 000017